(57)【特許請求の範囲】
【請求項１】
圧縮機、四方弁、室外熱交換器、絞り機構、室内熱交換器等からなるヒートポンプサイクルを具備し、暖房運転時、上記室外熱交換器への着霜を感知したときこの室外熱交換器にホットガスを導入して除霜するヒートポンプ式空気調和機において、上記室内熱交換器に吸込まれる室内空気の温度を検出する吸込空気温度センサと、上記室内熱交換器の温度を検出する室内熱交温度センサと、上記両センサの検出する温度の温度差を検出する温度差検出手段と、上記温度差の変化により室外熱交換器への着霜を感知してデフロスト運転開始指令を出力するデフロスト指令手段と、暖房運転を開始してから除霜運転を経て再び暖房運転に入るまでの１サイクル中における上記両センサの温度差が最大となる無霜時の最大温度差を記憶する最大温度差記憶手段と、を設け、上記デフロスト指令手段は、上記最大温度差に対し上記温度差検出手段が検出した温度差が所定割合まで低下したとき、デフロスト運転開始指令を出力することを特徴とするヒートポンプ式空気調和機。
【請求項２】
除霜運転中に上記室内熱交温度センサの検出温度が設定温度になったとき、除霜運転を終了させるデフロスト終了手段を具備することを特徴とする請求項１記載のヒートポンプ式空気調和機。
【請求項３】
圧縮機、四方弁、室外熱交換器、絞り機構、室内熱交換器等からなるヒートポンプサイクルを具備し、暖房運転時、上記室外熱交換器への着霜を感知したときこの室外熱交換器にホットガスを導入して除霜するヒートポンプ式空気調和機において、上記室内熱交換器に吸込まれる室内空気の温度を検出する吸込空気温度センサと、上記室内熱交換器の温度を検出する室内熱交温度センサと、上記両センサの検出する温度の温度差を検出する温度差検出手段と、上記温度差の変化により室外熱交換器への着霜を感知してデフロスト運転開始指令を出力するデフロスト指令手段とを設け、除霜運転中に上記室内熱交温度センサの検出温度が設定温度になったとき、除霜運転を終了させるデフロスト終了手段を具備することを特徴とするヒートポンプ式空気調和機。
【請求項４】
除霜時間を設定する手段と、この設定時間を室内熱交換器用ファンのオン・オフあるいは変速及び除霜運転直前の上記室内熱交温度センサの検出温度によって変更する除霜時間変更手段と、変更された除霜時間が経過したとき除霜運転を終了させるデフロスト終了手段を具備することを特徴とする請求項１記載のヒートポンプ式空気調和機。
【発明の詳細な説明】
【０００１】
【産業上の利用分野】
本発明はヒートポンプ式空気調和機に関する。
【０００２】
【従来の技術】
従来のヒートポンプ式空気調和機の暖房運転時、室外熱交換器への着霜によって室内熱交換器に吸い込まれる室内空気の吸込空気温度と室内熱交換器から吹き出される室内空気の吹出空気温度との温度差が所定値に低下した時点で除霜運転を開始し室外熱交換器に高温のガス冷媒、即ち、ホットガスを導入していた。そして、室外熱交換器の温度を室外熱交温度センサで検知し、これが所定値以上に上昇したとき除霜運転を終了していた。
【０００３】
【発明が解決しようとする課題】
上記従来の空気調和機においては、室内熱交換器から吹き出される室内空気の吹出温度を検知するための吹出空気温度センサ及び室外熱交換器の温度を検知するための室外熱交温度センサを要するので、そのコストが嵩むという問題があった。
【０００４】
また、吹出空気温度は吹出口に配設された風向板の揺動に応じて変動するので、除霜運転の開始時期が不安定となるという問題があった。
【０００５】
【課題を解決するための手段】
本発明は上記課題を解決するために発明されたものであって、その要旨とするところは、圧縮機、四方弁、室外熱交換器、絞り機構、室内熱交換器等からなるヒートポンプサイクルを具備し、暖房運転時、上記室外熱交換器への着霜を感知したときこの室外熱交換器にホットガスを導入して除霜するヒートポンプ式空気調和機において、上記室内熱交換器に吸込まれる室内空気の温度を検出する吸込空気温度センサと、上記室内熱交換器の温度を検出する室内熱交温度センサと、上記両センサの検出する温度の温度差を検出する温度差検出手段と、上記温度差の変化により室外熱交換器への着霜を感知してデフロスト運転開始指令を出力するデフロスト指令手段と、暖房運転を開始してから除霜運転を経て再び暖房運転に入るまでの１サイクル中における上記両センサの温度差が最大となる無霜時の最大温度差を記憶する最大温度差記憶手段と、を設け、上記デフロスト指令手段は、上記最大温度差に対し上記温度差検出手段が検出した温度差が所定割合まで低下したとき、デフロスト運転開始指令を出力することを特徴とするヒートポンプ式空気調和機にある。
【０００６】
他の特徴とするところは、除霜運転中に上記室内熱交温度センサの検出温度が設定温度になったとき、除霜運転を終了させるデフロスト終了手段を具備することにある。
【０００７】
更に、他の特徴とするところは、圧縮機、四方弁、室外熱交換器、絞り機構、室内熱交換器等からなるヒートポンプサイクルを具備し、暖房運転時、上記室外熱交換器への着霜を感知したときこの室外熱交換器にホットガスを導入して除霜するヒートポンプ式空気調和機において、上記室内熱交換器に吸込まれる室内空気の温度を検出する吸込空気温度センサと、上記室内熱交換器の温度を検出する室内熱交温度センサと、上記両センサの検出する温度の温度差を検出する温度差検出手段と、上記温度差の変化により室外熱交換器への着霜を感知してデフロスト運転開始指令を出力するデフロスト指令手段とを設け、除霜運転中に上記室内熱交温度センサの検出温度が設定温度になったとき、除霜運転を終了させるデフロスト終了手段を具備することにある。
【０００８】
更に、他の特徴とするところは、除霜時間を設定する手段と、この設定時間を室内熱交換器用フアンのオン・オフあるいは変速及び除霜運転直前の上記室内熱交温度センサの検出温度によって変更する除霜時間変更手段と、変更された除霜時間が経過したとき除霜運転を終了させるデフロスト終了手段を具備することにある。
【０００９】
【作用】
本発明においては、吸込空気温度センサにより検出された室内熱交換器に吸込まれる室内空気の温度と室内熱交温度センサにより検出された室内熱交換器の温度との温度差により室外熱交換器への着霜を感知したとき、デフロスト指令手段はデフロスト指令を出力し、これによって除霜運転が開始されて室外熱交換器にホットガスが導入される。
【００１０】
上記温度差が暖房運転を開始してから除霜運転を経て再び暖房運転に入るまでの１サイクル中の最大温度差に対し所定割合まで低下したとき、デフロスト指令を出力して除霜運転を開始することができる。
【００１１】
除霜運転中に室内熱交温度センサの検出温度が設定温度になったとき、除霜運転を終了することができる。
【００１２】
予め設定された除霜時間を室内熱交換器用フアンのオン・オフあるいは変速及び除霜運転直前の室内熱交温度センサの検出温度によって変更し、変更された除霜時間が経過したとき除霜運転を終了させることができる。
【００１３】
【実施例】
本発明の第１の実施例が図１に示されている。
冷房運転時、圧縮機２から吐出されたガス冷媒は実線矢印で示すように、四方弁３を経て室外熱交換器４に入り、ここで室外フアン７により送られる外気に放熱することによって凝縮液化する。
【００１４】
この液冷媒は絞り機構５を流過する過程で断熱膨張した後、室内熱交換器６に入り、ここで室内フアン８により送られる室内空気を冷却することによって蒸発気化する。しかる後、このガス冷媒は四方弁３を経て圧縮機２に戻る。
【００１５】
暖房運転時には、圧縮機２から吐出された冷媒は破線矢印で示すように、四方弁３、室内熱交換器６、絞り機構５、室外熱交換器４、四方弁３をこの順に経て圧縮機２に戻る。
【００１６】
室内熱交換器６に吸込まれる室内空気の温度を検出する吸込空気温度センサ１０及び室内熱交換器６の温度を検出する室内熱交温度センサ１１の検出温度はコントローラ２０の温度差検出手段２１に入力され、ここで両者の温度差が検出される。
【００１７】
この温度差は最大温度差記憶手段２２に入力されて、ここで暖房運転を開始してから除霜運転を経て暖房運転に復帰するまでの１サイクル中の最大温度差が記憶される。
なお、温度差は図２に示すように、上記１サイクル中に変化し、無霜時の最大温度差Ｂが記憶される。
【００１８】
一方、温度差はデフロスト指令手段２３に入力され、ここで最大温度差Ｂと比較される。この温度差は暖房運転を継続することにより室外熱交換器４に霜が蓄積されるのに従って次第に減少するので、これが最大温度差Ｂに対して所定の割合（例えば、８５％）の温度差Ａに到達したとき、デフロスト指令手段２３はデフロスト指令を出力手段２４を介して四方弁３、室外フアン７の駆動モータ１２、室内フアン８の駆動モータ１３に出力して四方弁３を冷房運転時の状態に切り換え、かつ、室外フアン７及び室内フアン８を停止する。
【００１９】
これによって除霜運転が開始され、冷媒は冷房運転時と同様実線矢印で示すようにヒートポンプサイクルを循環し、圧縮機２から吐出された高温の冷媒ガス、即ち、ホットガスが四方弁３を経て室外熱交換器４に入り、この表面に付着している霜を溶融除去する。
【００２０】
室内熱交温度センサ１１の検出温度はデフロスト終了手段２６に入力され、ここで設定手段２５から入力された設定温度と比較される。除霜運転によって室内熱交温度センサ１１の検出温度が設定温度になったとき、デフロスト終了手段２６はデフロスト終了を決定し、この決定は出力手段２４を介して四方弁３、室外フアン７の駆動モータ１２、室内フアン８の駆動モータ１３に出力される。
これによって、四方弁３は暖房運転時の状態に切り換えられ、かつ、室外フアン７及び室内フアン８が運転を開始して暖房運転に復帰する。
【００２１】
本発明の第２の実施例が図３に示されている。この第２の実施例においては、コントローラ３０は除霜時間を設定するための除霜時間設定手段２７と除霜時間変更手段２８を具備している。しかして、デフロスト指令手段２３から出力されたデフロスト指令が除霜時間設定手段２７に入力されると、ここに予め設定された除霜時間は除霜時間変更手段２８に入力される。そして、これに入力された室内フアンモータ１３のＯＮ、ＯＦＦ又はその変速、除霜運転直前の室内熱交温度センサ１１の検出温度に応じて複数（例えば、３分、４分、７分等）に変更される。
【００２２】
変更された除霜時間が経過して、この旨がデフロスト終了手段２９に入力されたとき、デフロスト終了手段２９はデフロスト終了を決定し、この決定は出力手段２４を介して四方弁３、室外フアン７の駆動モータ１２、室内フアン８の駆動モータ１３に出力して四方弁３を暖房運転状態に切り換え、かつ、室外フアン７及び室内フアン８を運転する。
【００２３】
かくして、除霜時間を室内フアン８のＯＮ、ＯＦＦ  又はその変速、除霜運転直前の室内熱交換器６の温度に応じて変更することによって無駄な除霜運転をすることなく必要最小限の除霜運転によって室外熱交換器４  に付着した霜を溶融除去しうる。
【００２４】
【発明の効果】
本発明においては、吸込空気温度センサの検出温度と殆ど全てのヒートポンプ式空気調和機に設けられている既設の室内熱交温度センサの検出温度との温度との温度差により室外熱交換器への着霜を感知してデフロスト指令手段を出力するので、従来のように吹出空気温度センサを要しない。
従って、吹出空気温度センサのコストを節減できるとともに風向板の揺動による影響を受けないので、正確にデフロスト指令に出力することができる。
【００２５】
除霜運転中に室内熱交温度センサの検出温度が設定温度になったとき、デフロスト終了指令を出力するようにすれば、室外熱交換器の温度を検出するための室外熱交換温度センサを省略できるので、このコストを節減できる。
【００２６】
予め設定された除霜時間を室内熱交換器用フアンのオン・オフあるいは変速及び除霜運転直前の室内熱交温度センサの検出温度によって変更すれば、必要最小限の除霜時間によって室外熱交換器に付着した霜を確実に溶融除去できる。
【図面の簡単な説明】
【図１】本発明の第１の実施例を示す系統図である。
【図２】上記実施例における温度差の経時変化を示す線図である。
【図３】本発明の第２の実施例を示す系統図である。
【符号の説明】
２  圧縮機
４  室外熱交換器
５  絞り機構
６  室内熱交換器
１０  吸込空気温度センサ
１１  室内熱交温度センサ
２０    コントローラ
【図１】
0003611257.tif 000002
【図２】
0003611257.tif 000003
【図３】
0003611257.tif 000004